(57)【要約】【課題】衛生的な簡易タイプの衛生洗浄装置を低コストで提供すること。【解決手段】洗浄水供給機構２１０を備えた洗浄装置本体２００と、洗浄水を噴出する洗浄ノズル３１０を備えた洗浄部３００と、洗浄装置本体２００で生成した洗浄水を洗浄ノズル３１０に送給する給水管３３０と、を含み、洗浄部３００は便器４１０と便座４２０の間に配置される略平板状の支持プレート３２０と、支持プレート３２０より略鉛直方向に垂下して設置された洗浄ノズル３１０と、を備え、洗浄ノズル３１０は、支持プレート３２０の前縁３２０ａより後退した位置に配置されることにより、排便による洗浄ノズルの汚損を抑制する構成をシンプルな構成で実施することでき、衛生的で安価な簡易タイプの衛生洗浄装置を提供することができる。【選択図】図１
2017179826.tif 000002
【特許請求の範囲】
【請求項１】
洗浄水供給機構を備えた洗浄装置本体と、
洗浄水を噴出する洗浄ノズルを備えた洗浄部と、
前記洗浄装置本体で生成した洗浄水を前記洗浄ノズルに送給する給水路と、を含み、
前記洗浄部は便器と便座の間に配置される略平板状の支持プレートと、
前記支持プレートより略鉛直方向に垂下して設置された前記洗浄ノズルと、を備え、
前記洗浄ノズルは、前記支持プレートの前縁より後退した位置に配置された、
衛生洗浄装置。
【請求項２】
前記洗浄ノズルは、略筒状のノズル本体を備え、
前記ノズル本体の下端近傍に斜め上方の所定の角度に向けて設置された噴出口を備え、
前記ノズル本体の内部には、略鉛直方向に設置された送水流路と、前記送水流路に連続して上方に向けて設置された噴出流路とを備え、
前記噴出口は前記噴出流路の先端部に設置された、
請求項１に記載の衛生洗浄装置。
【請求項３】
前記ノズル本体の下端近傍の外面に洗浄水の噴射対象に対向する傾斜面を備え、
前記噴出口は前記傾斜面に垂直となる方向に設けられた、
請求項１または２に記載の衛生洗浄装置。
【発明の詳細な説明】
【技術分野】
【０００１】
本発明は、既存の便器と便座に洗浄機能を付加する簡易タイプの衛生洗浄装置に関するものである。
【背景技術】
【０００２】
従来、この種の衛生洗浄装置は、既存の便器に付属の便座および便蓋を使用して簡易的な洗浄機能を付加するものである。衛生洗浄装置の基本的な構成は、内部に温水タンクを備えた洗浄装置本体と、前方斜め下方に突出した洗浄ノズルを備えたノズルユニットとを便器の上面後方に設置し、洗浄装置本体で生成した温水を洗浄ノズルユニットに送給する可撓性のパイプを備えた構成となっている。洗浄装置本体はノズルユニットの支持板の側端部に設置されており、支持板の中央部に前方斜め下方に突出した洗浄ノズルが設置されている。支持板の後部には２個の長孔が設置されており、支持板を便器と便座の取り付け部との間に介装し、便座の取り付けボルトを長孔に貫通させて固定する構成となっており、支持板の取り付け位置が前後方向に調節可能な構成となっている。また、洗浄装置本体と支持板とは上下に取り付け位置を変更可能な構成となっている。（例えば、特許文献１参照）。
【０００３】
また、別の例として、温水タンクを内蔵する洗浄装置本体を床面に設置し、お尻洗浄ノズルとビデ洗浄ノズルを備えたノズルユニットを便器の後方に設置し、洗浄装置本体で生成した温水をノズルユニットに送給する複数のホースで接続した構成である。お尻洗浄ノズルとビデ洗浄ノズルは、待機時はノズルユニットの下方に収容され、洗浄動作時には、洗浄装置本体より送給される温水の水圧によりノズルユニットの前方に進出する構成となっている（例えば、特許文献２参照）。
【０００４】
図８は特許文献１に記載された従来の衛生洗浄装置を便器に設置した状態を示す斜視図であり、図９は衛生洗浄装置の外観を示す斜視図である。図８に示すように、衛生洗浄装置を便器１に設置した場合、洗浄装置本体２は便器１の側部に配置され、ノズルユニット３は便器１と便座４の間に設置されており、便座４と便蓋５は開閉可能となっている。図９に示すように洗浄装置本体２はノズルユニット３の支持板６の側端部に着脱可能に固定されている。ノズルユニット３の支持板６の中央部には前方斜め下方に突出した洗浄ノズル７が設置されている。また支持板６の後部には間隔を開けて前後方向に長い長孔８が２個設置されている。衛生洗浄装置の便器１への取り付けは、支持板６を便器１の上面と便座４の取り付け部との間に介装し、便座４の取り付けボルトを長孔８に貫通させて固定する構成となっている。また、洗浄装置本体２と洗浄ノズル７とを可撓性を備えたパイプで接続することにより、洗浄装置本体２と支持板６との上下の取り付け位置を変更可能な構成となっている。
【０００５】
図１０は特許文献２に記載された従来の衛生洗浄装置を便器に設置した状態を示す斜視図であり、図１１はノズルユニットの下面図である。図１０に示すように、洗浄装置本体１０は床面に設置され、便器１１の上面後方にノズルユニット１２が設置され、洗浄装置本体１０とノズルユニット１２とは２本のホース１３で接続されている。図１１に示すようにノズルユニット１２の下部にお尻洗浄ノズル１４とビデ洗浄ノズル１５が設置されており、待機状態では図１１に示すように、ノズルユニット１２の下方に収容されている。ノズルユニット１２の両側端部にはそれぞれ吸盤１６が設置されており、吸盤１６を便器１１の側面に吸着させることによりノズルユニット１２を便器１１に固定する構成となっている。また、ノズルユニット１２は便器１１の上面と便座１７の下面との隙間に収容可能な厚さに形成されており、ノズルユニット１２を設置した状態で便座１７と便蓋１９は
開閉可能な構成となっている。
【先行技術文献】
【特許文献】
【０００６】
【特許文献１】特開昭６０−１９２０３７号公報
【特許文献２】特開平１０−１１０４６０号公報
【発明の概要】
【発明が解決しようとする課題】
【０００７】
しかしながら、特許文献１に記載の従来の構成では、洗浄ノズルはノズルユニットの支持板より常時前方に突出して配置された構成である。このような構成の場合、排便時に洗浄ノズルに便が付着して汚損される可能性が極めて高く、衛生的な観点から未だ改良の余地があった。
【０００８】
また、特許文献２に記載の従来の構成では、待機状態においてはお尻洗浄ノズルとビデ洗浄ノズルはノズルユニットの下方に収容されており、排便に汚損される可能性は低いが、洗浄ノズルを進退可能な構成とすることにより、ノズルユニットの構成が複雑かつ大型になっており、簡易タイプの製品の目的であるシンプル構成および低コストの観点から未だ改良の余地があった。
【０００９】
本発明は、前記従来の課題を解決するもので、排便による洗浄ノズルの汚損を抑制する構成を、シンプルな構成で実施することにより低コストで簡易タイプの衛生洗浄装置を提供するものである。
【課題を解決するための手段】
【００１０】
前記従来の課題を解決するために、本発明の衛生洗浄装置は、洗浄水供給機構を備えた洗浄装置本体と、洗浄水を噴出する洗浄ノズルを備えた洗浄部と、洗浄装置本体で生成した洗浄水を洗浄ノズルに送給する給水路と、を含み、洗浄部は便器と便座の間に配置される略平板状の支持プレートと、支持プレートより略鉛直方向に垂下して設置された洗浄ノズルと、を備え、洗浄ノズルは、支持プレートの前縁より後退した位置に配置されたものである。
【００１１】
これにより、これにより、排便による洗浄ノズルの汚損を抑制する効果を備えた洗浄部を極めてシンプルな構成で実現することができ、衛生的な簡易タイプの衛生洗浄装置を低コストで提供することができる。
【発明の効果】
【００１２】
本発明の衛生洗浄装置は、衛生的な簡易タイプの衛生洗浄装置を低コストで提供することができる。
【図面の簡単な説明】
【００１３】
【図１】本発明の実施の形態１における衛生洗浄装置をトイレ装置に設置した状態の斜視図
【図２】同衛生洗浄装置の外観を示す斜視図
【図３】同衛生洗浄装置の本体ケースを取り外した状態の本体部の斜視図
【図４】同衛生洗浄装置の洗浄水供給機構の水回路の構成を示す模式図
【図５】（ａ）は同衛生洗浄装置の洗浄部の上プレートを取り外した状態の斜視図、（ｂ）は（ａ）に示すＡ部の詳細を示す斜視図
【図６】同衛生洗浄装置のトイレ装置への取り付け部を示す断面図
【図７】同衛生洗浄装置をトイレ装置へ取り付けた状態の洗浄ノズルの断面図
【図８】特許文献１に記載された従来の衛生洗浄装置を便器に設置した状態を示す斜視図
【図９】同衛生洗浄装置の外観を示す斜視図
【図１０】特許文献２に記載された従来の衛生洗浄装置を便器に設置した状態を示す斜視図
【図１１】同衛生洗浄装置のノズルユニットの下面図
【発明を実施するための形態】
【００１４】
第１の発明は、洗浄水供給機構を備えた洗浄装置本体と、洗浄水を噴出する洗浄ノズルを備えた洗浄部と、前記洗浄装置本体で生成した洗浄水を前記洗浄ノズルに送給する給水路と、を含み、前記洗浄部は便器と便座の間に配置される略平板状の支持プレートと、前記支持プレートより略鉛直方向に垂下して設置された前記洗浄ノズルと、を備え、前記洗浄ノズルは、前記支持プレートの前縁より後退した位置に配置された、衛生洗浄装置である。
【００１５】
これにより、排便による洗浄ノズルの汚損を抑制する効果を備えた洗浄部を極めてシンプルな構成で実現することができ、衛生的な簡易タイプの衛生洗浄装置を低コストで提供することができる。
【００１６】
第２の発明は、特に、第１の発明において、前記洗浄ノズルは、略筒状のノズル本体を備え、前記ノズル本体の下端近傍に斜め上方の所定の角度に向けて設置された噴出口を備え、前記ノズル本体の内部には、略鉛直方向に設置された送水流路と、前記送水流路に連続して上方に向けて設置された噴出流路とを備え、前記噴出口は前記噴出流路の先端部に設置されたものである。
【００１７】
これにより、洗浄水を噴出口からスムーズに噴出することができ、洗浄効果を高めることができる。
【００１８】
第３の発明は、特に、第１または第２の発明において、前記ノズル本体の下端近傍の外面に洗浄水の噴射対象に対向する傾斜面を備え、前記噴出口は前記傾斜面に垂直となる方向に設けられたものである。
【００１９】
これにより、噴出口から噴出させる洗浄水の噴出方向を安定させることができ、洗浄効果をより高めることができる。
【００２０】
以下、本発明の実施の形態について、図面を参照しながら説明する。なお、この実施の形態によって本発明が限定されるものではない。
【００２１】
（実施の形態１）
＜１＞衛生洗浄装置の全体構成
図１は衛生洗浄装置をトイレ装置に設置した状態の外観の斜視図を示すものであり、図２は本実施の形態における衛生洗浄装置の外観を示す斜視図を示すものである。
【００２２】
図２に示すように、本実施の形態における衛生洗浄装置１００の基本的な構成は、洗浄水供給機構２１０を内蔵し、上面に操作部２３０を備えた本体部２００と、本体部２００から供給された洗浄水を洗浄ノズル３１０から使用者の局部に向けて噴射する洗浄部３００とで構成されている。
【００２３】
本体部２００は洗浄部３００の側部に設置されており、洗浄水は洗浄部３００の支持プレート３２０の内部に給水路として配設された給水管３３０を介して洗浄ノズル３１０に
供給される。
【００２４】
図１に示すように、衛生洗浄装置１００は、便器４１０と、便器４１０に開閉自在に枢支された便座４２０と便蓋４３０とを備えた既存のトイレ装置４００に設置して使用される。
【００２５】
なお、本実施の形態においては、トイレ装置４００の便座４２０および便蓋４３０の枢支側を後方とし、後方から前方に向かって右側を右方、前方に向かって左側を左方として各構成要素の配置を説明する。
【００２６】
衛生洗浄装置１００のトイレ装置４００への取り付けは、便器４１０の上面と便座４２０の取り付け部との間に洗浄部３００の支持プレート３２０を介装させて、便座４２０の便器４１０への取り付けの機構を共用して固定される。
【００２７】
衛生洗浄装置１００をトイレ装置４００に設置した場合、本体部２００はトイレ装置４００の右側後部に配置される。また、衛生洗浄装置１００を設置した状態においても便座４２０と便蓋４３０は、便器４１０の後部に起立した起立状態と、便器４１０の上面に倒置した倒置状態の間を開閉自在に取り付けられている。
【００２８】
＜２＞本体部の構成
図２は本実施の形態における衛生洗浄装置の外観を示す斜視図を示し、図３は衛生洗浄装置の本体部のケースを取り外した状態の斜視図を示し、図４は衛生洗浄装置の洗浄水供給機構の水回路の構成を示す模式図である。
【００２９】
図２に示すように、本体部２００の上面には複数のスイッチと表示灯を備えた操作部２３０が設置されている。
【００３０】
操作部２３０の内部には操作基板（図示せず）が設置されている。操作基板には複数のタクトスイッチ（図示せず）と複数のＬＥＤ（図示せず）が設置されており、操作部２３０の上面に貼付されたスイッチ銘板を介してタクトスイッチの押圧操作とＬＥＤの視認が可能となっている。また、タクトスイッチおよびＬＥＤは制御部２４０と電気的に接続されている。
【００３１】
操作部２３０に設置されたスイッチは、洗浄動作を操作する操作スイッチと、機能を設定する設定スイッチが設置されている。また、表示灯としては設定状態を表示する複数のＬＥＤが設置されている。
【００３２】
操作スイッチとしては、操作部２３０の後方に配置され、洗浄動作の実施をロックするロックスイッチ２３１と、操作部２３０の最も前方に配置され、洗浄動作の開始と停止を操作する洗浄スイッチ２３２が設置されている。
【００３３】
ロックスイッチ２３１は、使用者が便座４２０に着座していないときに不用意に洗浄水が噴出されることを抑制することを目的とするものである。使用者が便座４２０に着座した状態でロックスイッチ２３１を操作することにより、洗浄動作を実施することが可能な状態となる。ロックスイッチ２３１を操作してから１分以内に洗浄スイッチ２３２を操作することにより、洗浄ノズル３１０から洗浄水が噴出して洗浄動作が開始される。洗浄動作を停止させるときは、洗浄スイッチ２３２を再度操作することにより洗浄水の噴出が停止し、洗浄動作が停止する。
【００３４】
洗浄動作を停止させてから１分後に、ロックスイッチ２３１は自動的にロック状態にな
る。洗浄動作を再度実施する場合は、再度ロックスイッチ２３１を操作しなければ、洗浄スイッチ２３２を操作しても、洗浄動作は開始されない。
【００３５】
洗浄スイッチ２３２の後方には、洗浄水の強さを３段階で調節する洗浄強さスイッチ２３３が配置されている。洗浄強さスイッチ２３３を押圧操作するごとに洗浄強さを変化させることができる。また洗浄強さスイッチ２３３の側方には洗浄強さを３段階で表示するＬＥＤの強さ表示灯２３４が配置されている。
【００３６】
洗浄強さスイッチの後方には、洗浄水の温度を３段階で調節する温度調節スイッチ２３５が配置されている。温度調節スイッチ２３５を押圧操作するごとに洗浄水の温度を変化させることができる。温度調節スイッチ２３５の側方には洗浄水の温度を３段階で表示するＬＥＤの温度表示灯２３６が配置されている。
【００３７】
また、操作部２３０の最後部には漏電状態をテストするテストスイッチ２３７が配置されている。
【００３８】
本体部２００の外郭は樹脂成型品の上ケース２０１と下ケース２０２で構成されており、内部には、洗浄水供給機構２１０の部材を支持する樹脂成型品の支持台２０３が配置されている。上ケース２０１と下ケース２０２との接合部には全周に亘りパッキンが配設されており、本体部２００の内部に外部から水が浸入することを防止する防水構造となっている。また、下ケース２０２の底面には排水口（図示せず）が設けられており、洗浄水供給機構の流路構成部材より漏水が発生した場合に、排水口より本体部２００排水することにより、制御部２４０等の電気部材の破損および漏電の発生を抑制する構成となっている。
【００３９】
図３に示すように、支持台２０３は平面状の取り付け面２０３ａと取り付け面２０３ａの外周より上下に立設された側壁２０３ｂが形成されている。支持台２０３の取り付け面２０３ａの右側には、最後部に洗浄水供給機構２１０の最も上流部材である給水接続口２１１を備えた水道接続アダプタ２１２が設置されており、水道接続アダプタ２１２の内部にはストレーナ２１３が設置されている。水道接続アダプタ２１２の下流には、止水電磁弁２１４、減圧弁２１５、バキュームブレーカ２１６が設置されている。支持台２０３の左側には、熱交換器２１７、流調弁２１８と、流路の温度および流量を検知するセンサ等の洗浄水供給機構を構成する全ての部材が設置されている。
【００４０】
取り付け面２０３ａと側壁２０３ｂで略箱型に形成された支持台２０３の下方の内部には制御部２４０を構成する制御基板（図示せず）が収容されており、洗浄水供給機構の流路構成部材より漏水が発生した場合に、制御基板が浸水することを防止し、制御基板の破損および漏電の発生を抑制する構成となっている。
【００４１】
＜２＞洗浄水供給機構の構成
図４は衛生洗浄装置の洗浄水供給機構の水回路の構成を示す模式図である。
【００４２】
図４に示すように、洗浄水供給機構を形成する流路構成部としては、流路の最上流の部材である給水接続口２１１は、水道管に接続される水道接続アダプタ２１２により形成されており、水道接続アダプタ２１２の内部には水道水に含まれるごみの流入を防止するストレーナ２１３が一体に組み込まれている。
【００４３】
ストレーナ２１３の下流には、流路を電動で開閉する止水電磁弁２１４と、流路に流れる洗浄水の水圧を一定に保つ減圧弁２１５と、水道が断水して水道管が負圧になった時等に洗浄水供給機構２１０の内部の洗浄水が水道管に逆流することを防止するバキュームブ
レーカ２１６が設置されている。
【００４４】
バキュームブレーカ２１６の吸気口２１６ａにはシリコンホース（図示せず）が接続されており、シリコンホースの他端は、本体部２００と支持プレート３２０との接合部において、銅製のパイプで形成された通気管３３１に接続されている。通気管３３１は洗浄部３００の支持プレート３２０の前方中央に設けられた通気管保持部３２１ｂまで配設されている。通気管３３１はバキュームブレーカ２１６が作動したときに、吸気する外気の供給路であるとともに、作動時に瞬間的に放出される洗浄水を便器に４１０に放水する放水路の機能を兼ね備えたものである。
【００４５】
バキュームブレーカ２１６の下流には熱交換器２１７が接続されている。熱交換器２１７は洗浄水を瞬時に加熱するものである。また、熱交換器２１７で加熱された温水の温度を均一にするバッファータンク２１７ａが一体に構成されている。
【００４６】
熱交換器２１７の下流には洗浄ノズル３１０への洗浄水の供給を制御する流調弁２１８が設置されている。そして、流調弁２１８の出水口２１８ａにはシリコンホース（図示せず）が接続されており、シリコンホースの他端は、本体部２００と支持プレート３２０との接合部において、給水路を構成する銅製のパイプで形成された給水管３３０に接続されている。給水管３３０の先端は洗浄部３００の洗浄ノズル３１０に接続されている。
【００４７】
また、バキュームブレーカ２１６と熱交換器２１７との間の流路には、熱交換器２１７に供給される洗浄水の温度を検出する入水温度センサ２２１と、流路を流れる洗浄水の流量を検出する流量センサ２２２が設置されている。また、熱交換器２１７の下流には２個のサーミスタが設置されており、一方は洗浄水の出湯温度を検知する出湯温度センサ２２３であり、他方は熱交換器２１７の過昇温度を検知する過昇温度センサ２２４である。入水温度センサ２２１、流量センサ２２２、出湯温度センサ２２３、過昇温度センサ２２４で検出されたデータは制御部２４０に送信される。
【００４８】
＜３＞洗浄部の構成
図５（ａ）は衛生洗浄装置の洗浄部の上プレートを取り外した状態の斜視図を示し、（ｂ）は（ａ）に示すＡ部の詳細を示す斜視図であり、図６は衛生洗浄装置のトイレ装置への取り付け部を示す断面図であり、図７は衛生洗浄装置をトイレ装置へ取り付けた状態の洗浄ノズルを示す断面図である。
【００４９】
図１、図５（ａ）に示すように、洗浄部３００は略平板状の支持プレート３２０と、支持プレート３２０の前方中央の下面より略鉛直に垂下するように設置された洗浄ノズル３１０を主な構成部材とする。
【００５０】
支持プレート３２０は金属製の下プレート３２１と、下プレート３２１の上面を覆うように重ねて設置される樹脂材料で成型された上プレート３２２と、下プレート３２１の後部に形成された可動域３２１ａに設置され左右方向に移動可能な樹脂材料で成型された可動プレート３２３で構成されている。
【００５１】
金属製の下プレート３２１を採用することにより、支持プレート３２０全体の厚さを薄くし、かつ必要な強度を確保することが可能となり、既設の便器４１０と便座４２０の間に支持プレート３２０介装させた場合、便座４２０の後部位置の上昇を最小限度に抑制することができ、便座４２０への着座時に違和感が発生することを抑制することができる。
【００５２】
下プレート３２１と上プレート３２２は重ね合わせた状態で内部に僅かな間隙が形成される構成となっている。図５（ａ）に示すように、この間隙には支持プレート３２０の側
端部に設置された本体部２００と支持プレート３２０の前方中央まで給水管３３０と通気管３３１が配置されている。
【００５３】
図５（ｂ）に示すように、下プレート３２１の前方中央部には通気管保持部３２１ｂが形成されており、通気管３３１の先端部を下方に向けて保持している。
【００５４】
また、下プレート３２１の左右方向の中心となる前方近傍には、洗浄ノズル保持部３２１ｃが形成されており、洗浄ノズル３１０を下プレート３２１の下面より略鉛直方向に垂下するように設置されている。また下プレートに配設された給水管３３０は洗浄ノズル保持部３２１ｃの開口より洗浄ノズル３１０に接続されている。
【００５５】
図１に示すように、下プレート３２１の上面に上プレート３２２を設置した状態において、支持プレート３２０の後部の左右に形成された可動域３２１ａに可動プレート３２３が設置される。可動プレート３２３は可動域３２１ａの範囲で左右に所定範囲移動可能となる。また、可動プレート３２３の中央には前後方向に略Ｕ字形状の長孔であるボルト貫通溝３２３ａが形成されている。ボルト貫通溝３２３ａの後端は解放されている。
【００５６】
可動プレート３２３を左右移動可能とし、ボルト貫通溝３２３ａを前後方向の長孔とすることにより、ボルト貫通溝３２３ａが前後左右の広範囲をカバーすることが可能となる。これにより、便座４２０の取り付け位置が異なる多くのトイレ装置４００へ、本実施の形態の衛生洗浄装置を設置することが可能となる。
【００５７】
衛生洗浄装置１００をトイレ装置４００に設置する場合、まず、便座４２０を便器４１０より取り外す。取り外す方法は、便座取り付け部４２１に一体に形成された取り付けボルト４２２に取り付けられているナット４２３を取り外し、取り付けボルト４２２に取り付けられている便座固定パッキン４２４とワッシャ４２５を取り外す。この状態で、便座４２０と便座取り付け部４２１を上方に持ち上げることにより、取り外すことができる。
【００５８】
衛生洗浄装置１００を便器４１０の上面後方に設置し、可動プレート３２３を左右に移動させ便器４１０の取り付け孔４１１の位置に合わせる。前後方向については可動プレート３２３のＵ字状のボルト貫通溝３２３ａの範囲で衛生洗浄装置１００を便器４１０後方に移動させ、図７に示すように支持プレート３２０に形成された位置決め突起３２２ａが便器４１０の後部内面に当接した位置で停止させる。
【００５９】
この状態で、図６に示すように、便座４２０の取り付けボルト４２２を可動プレート３２３のボルト貫通溝３２３ａと便器４１０の取り付け孔４１１に挿入し、下方より便座４２０の取り付けボルト４２２に便座固定パッキン４２４、ワッシャ４２５、ナット４２３を取り付け、ナット４２３を締め付けることにより、衛生洗浄装置１００と便座４２０の取り付けを行うことができる。
【００６０】
上記の設置方法では、既存の便座４２０を便器４１０より完全に取り外す方法を記載したが、便座４２０を完全に取り外さずに設置することも可能である。取り付けボルト４２２のナット４２３を充分に緩め、便座４２０を上方に持ち上げることにより形成される便器４１０の上面と便座取り付け部４２１との隙間に支持プレート３２０を差し込み、ボルト貫通溝３２３ａ後端の解放口より取り付けボルト４２２をボルト貫通溝３２３ａに挿通させ、ナット４２３を締め付けることにより、上記と同様に衛生洗浄装置１００の取り付けを行うことができる。
【００６１】
なお、本実施の形態におけるトイレ装置は便座取り付け部４２１には、便座４２０に加え便蓋４３０が回動自在に枢支されており、上記取り付け作業を行うことにより、便座４
２０と便蓋４３０を同時に取り付けることができる。
【００６２】
＜４＞洗浄ノズルの構成
図７は衛生洗浄装置をトイレ装置へ取り付けた状態の洗浄ノズルの断面図を示すものである。
【００６３】
図７に示すように、洗浄ノズル３１０は支持プレート３２０の下プレート３２１の下面に略鉛直方向に垂設されており、洗浄ノズル３１０の全体は支持プレート３２０の前縁３２０ａより後退した位置に配置されている。
【００６４】
洗浄ノズル３１０は、基体部３１１と、流路構成部３１２と、先端閉塞部３１３と、給水管接続部３１４を主構成部材としてノズル本体を構成している。これらの部材は全て樹脂材料で成型されている。
【００６５】
基体部３１１は洗浄ノズル３１０の元の部分を構成しており、支持プレート３２０に固定されるとともに、給水管接続部３１４を内装している。給水管３３０は給水管接続部３１４を貫通し、給水管３３０の先端は基体部３１１に形成された基体流路３１１ａ内で固定されている。給水管３３０と基体流路３１１ａとはＯリング３１１ｂを介して密接されている。
【００６６】
流路構成部３１２は洗浄ノズル３１０の主要な機能を形成する部材であり、基体部３１１の下方に接続されている。流路構成部３１２と基体部３１１とは流路構成部３１２を左右に回転させ、固定爪と固定ピンを嵌合および開放させることにより着脱可能な構成となっている。また流路構成部３１２と基体部３１１との接続部はＯリング３１１ｃを介して密接されている。
【００６７】
上記のように、流路構成部３１２を着脱可能な構成とすることにより、流路構成部３１２と先端閉塞部３１３を洗浄部３００から取り外すことが可能となり、流路構成部３１２と先端閉塞部３１３の清掃および交換を容易に行うことが可能な構成となっている。
【００６８】
略円筒形の流路構成部３１２の先端近傍には側面視が略Ｖ字状の切り込みが形成されており、切り込み部の上下には平坦面が形成されている。下側の斜め上方に向いた平坦面は噴出口面３１２ａであり、便座４２０に着座した状態の使用者の肛門に対向する角度に形成されている。噴出口面３１２ａの略中央には、噴出口面３１２ａに対して略垂直方向に貫通する噴出口３１２ｂが形成されている。
【００６９】
流路構成部３１２の内部には下方に向かって細くなる送水流路３１２ｃが形成されている。流路構成部３１２の下端近傍には仕切り壁３１２ｄが形成されており、仕切り壁３１２ｄを介して送水流路３１２ｃの反対側に噴出流路３１２ｅが形成されており、噴出流路３１２ｅは噴出口３１２ｂに連通している。
【００７０】
先端閉塞部３１３は下端が閉塞した円環状の部材であり、流路構成部３１２の下端に螺合されている。図７に示すように、先端閉塞部３１３内部と流路構成部３１２の内部に形成された仕切り壁３１２ｄの下端とは適度な間隙が形成され、間隙を介して送水流路３１２ｃと噴出流路３１２ｅが連通する構成となっている。
【００７１】
また、先端閉塞部３１３の内面には略半球状の凹陥からなる反転部３１３ａが形成されており、送水流路３１２ｃを下向きに流れた洗浄水が反転部３１３ａでスムーズに反転して噴出流路３１２ｅに流れ込む構成となっている。これにより、噴出流路３１２ｅを上向に流れる洗浄水を噴出口３１２ｂから斜め上方に向けてスムーズに噴出することができる
。
【００７２】
上記のように、本実施の形態における衛生洗浄装置は、洗浄ノズルを支持プレートの前縁より後退させた位置に、略鉛直方向に垂下させて設置したことにより、極めてシンプルな構成で洗浄機能を実現するとともに、排便による洗浄ノズルの汚損を抑制する効果を備えることができ、衛生的な簡易タイプの衛生洗浄装置を低コストで提供することができる。
【００７３】
また、洗浄ノズルの内部に、下方に向けて設置された送水流路と、送水流路に連続して上方に向けて設置された噴出流路とを備え、上向に洗浄水が流れる噴出流路の先端に噴出口を設置したことにより、洗浄水を噴出口から斜め上方に向けてスムーズに噴出することができる。
【００７４】
また、噴出口３１２ｂを使用者の肛門に対向する噴出口面３１２ａに略垂直方向に形成したことにより、噴出口３１２ｂから噴出された洗浄水は便座４２０に着座した状態の使用者の肛門に向かって噴射され、効果的に肛門の洗浄を行うことできる。しかも、噴出口面３１２ａを平面とし、噴出口３１２ｂを噴出口面３１２ａに対して略垂直方向に貫通させたことにより、噴射方向の乱れを抑制して安定させることができ、洗浄効果を高めることができる。
【００７５】
なお、本実施の形態における衛生洗浄装置は、支持プレート３２０の右側に本体部２００を配置する構成としたが、これに限るものではなく、支持プレート３２０の左側に本体部２００を配置する構成としてもよい。また、本体部２００を支持プレート３２０に設置する構成ではなく、本体部２００を独立した構成とし、本体部２００をトイレルームの床面または壁面などの任意の場所に設置する構成としてもよい。
【００７６】
また、本実施の形態における衛生洗浄装置は、給水路として銅の給水管３３０を使用したが、これに限るものではなく、他の材質による給水管でもよい。また別構成の給水路としては、給水管を使用せず、支持プレート３２０の上プレート３２２の下面にリブを形成し、リブと下プレート３２１を接合することによりトンネル状の流路を形成し、トンネル状の流路を給水路とする構成でもよい。
【産業上の利用可能性】
【００７７】
以上のように、本発明にかかる衛生洗浄装置は簡単な構成で市販のトイレ装置に洗浄機能を付加することが可能となるので、他の簡易型の水応用機器の用途にも適用できる。
【符号の説明】
【００７８】
１００  衛生洗浄装置
２００  本体部（洗浄装置本体）
２１０  洗浄水供給機構
３００  洗浄部
３１０  洗浄ノズル
３１１  基体部（ノズル本体）
３１２  流路構成部（ノズル本体）
３１２ａ  噴出口面（傾斜面）
３１２ｂ  噴出口
３１２ｃ  送水流路
３１２ｅ  噴出流路
３１３  先端閉塞部（ノズル本体）
３１４  給水管接続部（ノズル本体）
３２０  支持プレート
３２０ａ  前縁
３３０  給水管（給水路）
４１０  便器
４２０  便座
【図１】
2017179826.tif 000003
【図２】
2017179826.tif 000004
【図３】
2017179826.tif 000005
【図４】
2017179826.tif 000006
【図５】
2017179826.tif 000007
【図６】
2017179826.tif 000008
【図７】
2017179826.tif 000009
【図８】
2017179826.tif 000010
【図９】
2017179826.tif 000011
【図１０】
2017179826.tif 000012
【図１１】
2017179826.tif 000013